(57)【要約】【課題】被施術者の様々な症状に対して効率よく施術することが可能な指圧用器具を提供する。【解決手段】指圧用器具１０は、両端部に把持部１１が形成された帯体１２と、帯体１２の長さ方向Ｆ１の中央に配置された第１突起部１３と、帯体１２の長さ方向Ｆ１の中央の両側となる位置であり、第１突起部１３から帯体１２の幅方向Ｆ２にずれた位置に並べられた一対の第２突起部１４とを備えている。施術者が、仰臥位の患者の首の周りに帯体１２を配置して吊り下げた状態とすると、第１突起部１３が帯体１２の長手方向Ｆ１の中央に配置されているため頚椎に位置するので、第１突起部１３の頂部が頚骨を押圧するため、頚椎の矯正を行うことができる。また、第２突起部１４が帯体１２の長さ方向Ｆ１の中央の両側となる位置であり、第１突起部１３から帯体１２の幅方向Ｆ２にずれた位置に、一対並べられているので、第２突起部１４の頂部が風池を刺激することができる。【選択図】図１
2020062286.tif 000002
【特許請求の範囲】
【請求項１】
両端部に把持部が形成された帯体と、
前記帯体の長さ方向の中央に配置された第１突起部と、
前記帯体の長さ方向の中央の両側となる位置であり、前記第１突起部から前記帯体の幅方向にずれた位置に並べられた一対の第２突起部とを備えた指圧用器具。
【請求項２】
前記第１突起部は、前記第２突起部より高さが低く形成された請求項１記載の指圧用器具。
【請求項３】
前記第１突起部を中心に前記帯体の長さ方向に沿って両側に、少なくとも一対以上の第３突起部が配置された請求項１記載の指圧用器具。
【請求項４】
前記第１突起部は、前記第２突起部および第３突起部より高さが低く形成された請求項３記載の指圧用器具。
【請求項５】
前記帯体は、基体となるシート部と、前記シート部に設けられ、雄型面状ファスナーまたは雌型面状ファスナーのいずれか一方の面状ファスナー部とを備え、
前記第１突起部と前記第２突起部とは、半球体と、前記半球体の底面に設けられた他方の面状ファスナー部とを備えた請求項１から４のいずれかの項に記載の指圧用器具。
【請求項６】
前記第１突起部と前記第２突起部との形状が異なる場合に、異なる色に形成された請求項５記載の指圧用器具。
【請求項７】
前記第１突起部または前記第２突起部のいずれか一方または全部の突起部は、弾力性を有する半球状体により形成された請求項１から６のいずれかの項に記載の指圧用器具。
【発明の詳細な説明】
【技術分野】
【０００１】
本発明は、複数の突起部が設けられた指圧用器具に関するものである。
【背景技術】
【０００２】
腰痛や肩こり、各部の筋肉痛などは、身体を指圧やマッサージによりほぐすことで痛みを緩和させることができる。このような指圧やマッサージは、電気式のマッサージ器具を使用することもできるが、簡単な構造の器具でも十分な効果が得られるとして、例えば、特許文献１，２に提案されたものが知られている。
【０００３】
特許文献１に記載のツボあてには、マイクロファイバー素材の伸びるタオル地を長方形に縫った中に、天然ゴムの柔らかいボールを２個入れて、両サイドを結んで閉じて固定し、夫々がバラバラに大きく移動しないようにしたものである。
【０００４】
また、特許文献２に記載の指圧器具は、略球体の押圧体を複数収容し、押圧体が内部を長さ方向に滑らかに移動自在な所定長の軟質素材からなり、押圧体の外径より短い所定間隔毎に内方向の所定の弾性力で締付ける複数の締付部を有し、かつ、隣り合う締付部の間にある押圧体に対し、隣り合う締付部の両方から締付ける力が加わる袋体とを備えたものである。
【先行技術文献】
【特許文献】
【０００５】
【特許文献１】特開２０１４−９７２７３号公報
【特許文献２】特開２００１−２２４６５７号公報
【発明の概要】
【発明が解決しようとする課題】
【０００６】
これら特許文献１，２に記載の従来の指圧用器具は、背中等の直接手の届かないところであっても、使用者自身で施術できるようにするために提案されたものである。
この従来の指圧用器具を使用者自身だけでなく、高い専門性を有する柔道整復師や理学療法士などが患者に施術する際に使用すれば、症状に対してより適切な施術が可能である。
しかし、単に球体を紐状体に沿って横一列に並べただけの従来の指圧用器具では、様々な症状に対して適切に、かつ効率よく施術することは難しい。
【０００７】
そこで本発明は、被施術者の様々な症状に対して効率よく施術することが可能な指圧用器具を提供することを目的とする。
【課題を解決するための手段】
【０００８】
本発明の指圧用器具は、両端部に把持部が形成された帯体と、前記帯体の長さ方向の中央に配置された第１突起部と、前記帯体の長さ方向の中央の両側となる位置であり、前記第１突起部から前記帯体の幅方向にずれた位置に並べられた一対の第２突起部とを備えたことを特徴とする。
【０００９】
本発明の指圧用器具によれば、第１突起部が帯体の長手方向の中央に配置されているため骨を押圧して矯正を行うことができる。また、第２突起部が帯体の長さ方向の中央の両側となる位置であり、第１突起部から帯体の幅方向にずれた位置に、一対並べられているため、骨の両側の経穴を押圧することができる。従って、本発明の指圧用器具は、矯正を行いつつ、経穴を刺激できる。
【００１０】
前記第１突起部を、前記第２突起部より高さが低く形成することができる。第１突起部が第２突起部より高さが低く形成されているため、第１突起部の変形が小さくなるので、骨が出っ張っていても、出っ張る骨への圧迫を軽減することができる。
【００１１】
前記第１突起部を中心に前記帯体の長さ方向に沿って両側に、少なくとも一対以上の第３突起部を配置することができる。帯体を腕や太もも、背中、腰に巻いて使用すると、第１突起部の両側に一列に並ぶ第３突起部が幅広く押圧するため、効率よく患部を刺激することができる。
【００１２】
前記第１突起部を、前記第２突起部および第３突起部より高さが低く形成することができる。第１突起部が第２突起部だけでなく、第３突起部よりも高さが低く形成されているため、第３突起部よりも第１突起部の変形を小さくすることができるので、出っ張る骨への圧迫を軽減しつつ、骨に隣接する経穴に刺激を与えることができる。
【００１３】
前記帯体は、基体となるシート部と、前記シート部に設けられ、雄型面状ファスナーまたは雌型面状ファスナーのいずれか一方の面状ファスナー部とを備え、前記第１突起部と前記第２突起部とは、半球体と、前記半球体の底面に設けられた他方の面状ファスナー部とを備えることができる。
第１突起部および第２突起部をシート部から脱着することができる。そのため、第２突起部をシート部から剥がし、第２突起部の配置を変更したり、患者の体格に合わせて大きさの異なる第１突起部および第２突起部を配置したりすることが可能である。
【００１４】
前記第１突起部と前記第２突起部との形状が異なる場合に、異なる色とすることができる。そうすることで、区別を容易とすることができる。
【００１５】
前記第１突起部または前記第２突起部のいずれか一方または全部の突起部は、弾力性を有する半球状体により形成されていると、突起部の円弧面が患部を押圧して弾性変形するため、適度な力で患者に指圧を施術することができる。
【発明の効果】
【００１６】
本発明の指圧用器具によれば、矯正を椎骨の矯正を行いつつ、経穴を刺激できるため、被施術者の様々な症状に対して効率よく施術することが可能である。
【図面の簡単な説明】
【００１７】
【図１】本発明の実施の形態１に係る指圧用器具の平面図である。
【図２】図１に示す指圧用器具の正面図である。
【図３】図１に示す指圧用器具の第１〜第３突起部が配置された状態の帯体の側面図である。
【図４】図１に示す指圧用器具の使用状態を説明するための図である。
【図５】本発明の実施の形態２に係る指圧用器具を説明するための一部拡大図である。
【図６】本発明の実施の形態３に係る指圧用器具の斜視図である。
【図７】（Ａ）〜（Ｃ）は図６に示す指圧用器具の第１〜第３突起部を説明するための図である。
【図８】図６に示す指圧用器具の使用状態を説明するための図である。
【発明を実施するための形態】
【００１８】
（実施の形態１）
本発明の実施の形態１に係る指圧用器具を図面に基づいて説明する。
図１から図３に示す指圧用器具１０は、両端部に把持部１１が形成された帯体１２と、帯体１２の長さ方向Ｆ１の中央に配置された第１突起部１３と、帯体１２の長さ方向Ｆ１の中央の両側となる位置であり、第１突起部１３から帯体１２の幅方向Ｆ２にずれた位置に並べられた一対の第２突起部１４と、第１突起部１３を中心に帯体１２の長さ方向Ｆ１に沿って両側に、二対配置された第３突起部１５とを備えている。
【００１９】
把持部１１は、施術者が把持して帯体１２を操作するためのものである。把持部１１の長さ方向Ｆ１の長さは、約１５ｃｍとすることができる。
把持部１１は、施術者が把持するＵ字状の取手部１１１と、帯体１２から取手部１１１の一対の先端部１１１ａに延びる接続部１１２とを備えている。
取手部１１１は、使用者が握って操作しやすいようにゴム製とすることができる。
接続部１１２は、Ｖ字状とした紐状部材としてもよいが、本実施の形態１では、一対の帯状部材の一端部を重ね合わせて帯体１２に接続すると共に、他端部を帯体１２から９０度に捻って取手部１１１に接続している。
【００２０】
帯体１２は、帯体１２の基体となるシート部１２１と、シート部１２１のおもて面側に設けられた、雄型面状ファスナーまたは雌型面状ファスナーのいずれか一方の面状ファスナー部１２２と、一方の面状ファスナー部１２２に配置された第１突起部１３および第２突起部１４を覆うカバー部１２３とを備えている。
【００２１】
シート部１２１は、カバー部１２３から露出した部分が窪んだ略長方形状に形成されている。シート部１２１は、長さ方向Ｆ１の長さを約６０ｃｍとすることができる。また、帯体１２の長さ方向Ｆ１の中央部における幅方向Ｆ２の長さを約９ｃｍとすることができる。
一方の面状ファスナー部１２２は、シート部１２１の中央部を含み、カバー部１２３により隠れる範囲に形成されている。
第１突起部１３、第２突起部１４および第３突起部１５は、弾力性を有するゴム製の半球体１５１と、半球体１５１の底面に設けられた他方の面状ファスナー部１５２とから形成されている。
【００２２】
以上のように構成された本発明の実施の形態１に係る指圧用器具１０の使用状態を図面に基づいて説明する。本実施の形態１では、施術者が、指圧用器具１０を使用して、患者の首を施術するものとする。
【００２３】
図１から図３に示すように、施術者は、仰臥位の患者の首の周りに帯体１２を配置して、一対の把持部１１の取手部１１１をそれぞれの手で把持し、帯体１２を吊り下げた状態とする。そして、施術者は、把持部１１を引き上げることで、帯体１２の第１〜第３突起部１３〜１５により首を含む頭部が持ち上げられる。
【００２４】
第１突起部１３が帯体１２の長手方向Ｆ１の中央に配置されているため、帯体１２をバランスよく首の周りに配置すると、図４に示すように、第１突起部１３が頚椎Ｃに位置する。従って、帯体１２により患者の首を持ち上げると、図４に示すように、第１突起部１３の頂部１３ａが頚骨Ｂを押圧するので、頚椎Ｃの矯正を行うことができる。
【００２５】
また、第２突起部１４が帯体１２の長さ方向Ｆ１の中央の両側となる位置であり、第１突起部１３から帯体１２の幅方向Ｆ２にずれた位置に、一対並べられている。従って、帯体１２により患者の首を持ち上げると、図４に示すように、第２突起部１４の頂部１４ａが経穴を押圧するので、頚椎Ｃの両側に位置する経穴、特に、第２突起部１４の位置であれば、風池を刺激することができる。
【００２６】
更に、第３突起部１５は、第１突起部１３の両側に、長さ方向Ｆ１に沿って並べられている。従って、帯体１２により患者の首を持ち上げると、第３突起部１５の頂部１５ａが首周りを押圧するので、首周りに位置する経穴、特に、第３突起部１５の位置であれば、天柱や完骨などを刺激することができる。
また、帯体１２を腕や太もも、背中、腰に巻いて使用すると、第１突起部１３の両側に一列に並ぶ第３突起部１５が幅広く押圧するため、効率よく患部を刺激することができる。
【００２７】
従って、指圧用器具１０は、椎骨の矯正を行いつつ、経穴を刺激できるため、被施術者の様々な症状に対して効率よく施術することが可能である。
【００２８】
特許文献１，２に記載の従来の指圧用器具では、ボールなどの球体が一列に並んでいるだけである。従って、患部を球体で押圧しながら、持ち上げた手が頭部側または肩側に移動すると、球体が回転して、患部からずれるおそれがある。
図１に示す、本実施の形態１の指圧用器具１０では、第１突起部１３および第３突起部１５と、第２突起部１４とが、幅方向Ｆ２に沿って２列に並んでいるため、面で患部を押圧することができる。そのため、持ち上げた手が当初の持ち上げ位置よりずれても、第１〜第３突起部１３〜１５が配置された帯体１２が回転することなく、第１〜第３突起部１３〜１５を患部に押圧させることができる。
【００２９】
シート部１２１のおもて面側に一方の面状ファスナー部１２２が設けられ、半球体１５１の底面に他方の面状ファスナー部１５２が設けられているため、第１〜第３突起部１３〜１５をシート部１２１から脱着することができる。そのため、半球体１５１をシート部１２１から剥がし、半球体１５１の配置を変更することができる。また、患者の体格に合わせて大きさの異なる半球体１５１を配置することも可能である。
従って、患者によって、第２突起部１４の間隔を変えたり、第３突起部１５の間隔を変えたり、第１〜第３突起部１３〜１５の大きさを変更したりすることができる。
また、第１〜第３突起部１３〜１５の間隔を変更可能とすることで、首、腕、腰など、押圧する範囲に応じて最適な位置を選択することができる。
【００３０】
更に、第１〜第３突起部１３〜１５をカバー部１２３が覆っているため、例えば、カバー部１２３が汚れたときに交換したり、患者ごとにカバー部１２３を交換したりすることで衛生状態を保つことができる。また、カバー部１２３がクッションの役目を果たすため、第１〜第３突起部１３〜１５による押圧の痛みを緩和させることができる。
【００３１】
第１突起部１３から第３突起部１５の全部の突起部は、弾力性を有する半球状体により形成されていると、突起部の円弧面が患部を押圧して弾性変形するため、適度な力で患者に指圧を施術することができる。
【００３２】
なお、本実施の形態１では、第１突起部１３から第３突起部１５の全部の突起部が、半球状体に形成されていたが、患部を押圧できれば、第１突起部１３、第２突起部１４または第３突起部１５のいずれかが半球状であっても、円錐状、角錐状、円柱状、角柱状、異形状であってもよい。
また、第３突起部１５が第１突起部１３を中心にして両側に二対配置されているが、少なくとも一対配置されていればよく、三対以上配置されていてもよい。
【００３３】
（実施の形態２）
本発明の実施の形態２に係る指圧用器具を図面に基づいて説明する。なお、図５において、図１と同じ構成のものは、同符号を付して説明を省略する。
例えば、患者の首を施術するため、指圧用器具１０ｘにより仰臥位の患者の頭部を持ち上げると、第２突起部１４が押圧する経穴より頚骨が出っ張る。そのため、図１に示すように、第２突起部１４と第１突起部１３とが同じ高さであれば、第１突起部１３が出っ張った頚骨を押圧することで、第２突起部１４より大きく弾性変形する。従って、第１突起部１３が頚骨に強く圧迫する。
【００３４】
そこで、図５に示す指圧用器具１０ｘでは、第１突起部１３ｘが第２突起部１４より高さが低く形成されているため、第１突起部１３ｘの弾性変形が小さくなるので、頚骨が出っ張っていても、出っ張る頚骨への圧迫を軽減することができる。
【００３５】
また、第１突起部１３ｘが第３突起部１５よりも高さが低く形成されている。従って、出っ張る頚骨への圧迫を軽減しつつ、首周りに位置する天柱や完骨にしっかりと刺激を与えることができる。
【００３６】
（実施の形態３）
本発明の実施の形態３に係る指圧用器具を図面に基づいて説明する。なお、図６において、図１と同じ構成のものは、同符号を付して説明を省略する。
図６に示す指圧用器具１０ｙは、第１突起部、第２突起部および第３突起部の高さを異なるようにしたものである。
【００３７】
第１突起部１３ｘは、最も高さが低い突起である。本実施の形態３では、図７（Ａ）に示すように高さを１１．２５ｍｍとしている。
第２突起部１４は、実施の形態１に係る指圧用器具１０と同じものであり、第１突起部１３ｘより高く、第３突起部１５と同じ高さで、第３突起部１５ｘより低い突起である。本実施の形態３では、図７（Ｂ）に示すように高さを２２．５ｍｍとしている。
第３突起部１５は、実施の形態１に係る指圧用器具１０と同じものである。本実施の形態３では、図７（Ｂ）に示すように高さを２２．５ｍｍとしている。
第３突起部１５ｘは、最も高さが高い突起である。本実施の形態３では、図７（Ｃ）に示すように高さを３３．７５ｍｍとしている。
【００３８】
以上のように構成された本発明の実施の形態３に係る指圧用器具１０ｙの使用状態を図面に基づいて説明する。
頚骨または椎骨を押圧する第１突起部１３ｘは、最も高さが低い突起に形成されているため、実施の形態２と同様に、出っ張る頚骨、椎骨への圧迫を軽減しつつ、しっかりと刺激を与えることができる。また、第１突起部１３ｘが椎骨の棘突起を押圧することで、脊椎のずれを矯正することができる。
【００３９】
頚骨または椎骨の両側を押圧する第２突起部１４および第３突起部１５は、中程度の高さに形成されている。そのため、第２突起部１４は、肩甲挙筋、僧帽筋および胸鎖乳突筋に、ほどよい指圧、ストレッチを加えることができる。また、第３突起部１５は、脊柱起立筋や、「腎兪」と称されるツボに、ほどよい指圧、ストレッチを加えることができる。従って、これらの筋肉のこわばり、緊張をほぐすことができる。
【００４０】
第３突起部１５の外側に位置する第３突起部１５ｘは、最も高い高さに形成されている。従って、首の両側部や腰の両側部、「志室」と称されるツボに、強い指圧、強いストレッチを加えることができるため、首、腰をほぐすことができる。
【００４１】
このように本実施の形態３に係る指圧用器具１０ｙでは、中央部に位置する第１突起部１３ｘが最も高さが低く、第２突起部１４、第３突起部１５および第３突起部１５ｘと外側へ順に高さが高くなるため、施術者が把持部１１を持ち、帯体１２を患部に当てると、体の湾曲面にそれぞれの突起部が無理なくフィットとして、同時に患部を押圧するため、上記した効果を同時に得ることができる。
【００４２】
この指圧用器具１０ｙにおいては、第１突起部１３ｘ、第２突起部１４および第３突起部１５，１５ｘを、実施の形態１と同様に、シート部１２１から脱着可能とすることができる。
また、第１突起部１３ｘ、第２突起部１４および第３突起部１５，１５ｘは、異なる色とすることができる。第１突起部１３ｘ、第２突起部１４および第３突起部１５，１５ｘを色分けすることで、区別を容易とすることができる。
なお、高さを含む形状が異なる場合でも異なる色とすることができる。
【産業上の利用可能性】
【００４３】
本発明の指圧用器具は、首や肩、背中、腕、足など各部の指圧、ストレッチ、マッサージなどに好適である。
【符号の説明】
【００４４】
１０，１０ｘ  指圧用器具
１１  把持部
１１１  取手部
１１１ａ  先端部
１１２  接続部
１２  帯体
１２１  シート部
１２２  一方の面状ファスナー部
１２３  カバー部
１３，１３ｘ  第１突起部
１３ａ  頂部
１４  第２突起部
１４ａ  頂部
１５  第３突起部
１５ａ  頂部
１５１  半球体
１５２  他方の面状ファスナー部
Ｆ１  長さ方向
Ｆ２  幅方向
Ｂ  頚骨
Ｃ  頚椎
【図１】
2020062286.tif 000003
【図２】
2020062286.tif 000004
【図３】
2020062286.tif 000005
【図４】
2020062286.tif 000006
【図５】
2020062286.tif 000007
【図６】
2020062286.tif 000008
【図７】
2020062286.tif 000009
【図８】
2020062286.tif 000010